(57)【特許請求の範囲】
【請求項１】
テストライト領域が複数の位置に存在する光ディスクに光学的に情報を記録再生する情報記録再生装置において、
複数の各テストライト領域で記録再生を行い、それぞれのテストライト領域に最適な記録パワーを得る最適パワー検出手段と、
トラックを横切る際のトラッキングエラー信号の振幅を検出する振幅検出手段と、
前記各テストライト領域における前記振幅検出手段および最適パワー検出手段の検出結果に応答し、任意の領域における、トラックを横切る際のトラッキングエラー信号の振幅に対応した最適な記録パワーを得る最適パワー演算手段と、
前記最適パワー演算手段で求められた記録パワーで記録を行う記録パワー制御手段とを含むことを特徴とする光学的情報記録再生装置。
【請求項２】
テストライト領域が複数の位置に存在する光ディスクに光学的に情報を記録再生する情報記録再生装置の記録パワー設定方法において、
複数の各テストライト領域で記録再生を行い、それぞれのテストライト領域に最適な記録パワーを求め、
前記各テストライト領域における、トラックを横切る際のトラッキングエラー信号の振幅を検出し、
前記各テストライト領域における最適記録パワーおよびトラッキングエラー信号の振幅から、任意の領域における、トラックを横切る際のトラッキングエラー信号の振幅に対応した最適な記録パワーを求めることを特徴とする光学的情報記録再生装置の記録パワー設定方法。
【発明の詳細な説明】
【０００１】
【発明の属する技術分野】
本発明は、光ディスクヘ光学的に情報を記録することができる情報記録再生装置およびその記録パワーの設定方法に関する。
【０００２】
【従来の技術】
光ディスクには、再生専用型、追記型、書換え型等の種々のものが実用化されており、その記録再生装置は、半導体レーザ等の光源からの光束を対物レンズでトラック上に集光し、微小な光スポットを形成して情報の記録再生を行っている。
【０００３】
ここで、図９に前記記録再生装置の光ピックアップ光学系の一構成例を示す。レーザ光源１からの出射光束は、コリメータレンズ２で平行光となり、グレーティング３で３つのビーム（メインビームと２つのサブビーム）に分割され、偏光ビームスプリッタ４、４分の１波長板５および対物レンズ６を介して光ディスク７のトラック上とトラック間に微小な光スポットとして照射される。そして光ディスク７からの反射光は、対物レンズ６および４分の１波長板５を介して偏光ビームスプリッタ４に戻され、偏光ビームスプリッタ４の反射面で反射され、集光レンズ８およびシリンドリカルレンズ９を介して、複数の受光部を備えた受光素子１０で受光される。前記受光素子１０による光電変換出力から、信号検出回路１１において、情報再生信号、トラッキングエラー信号、フォーカスエラー信号等の各種信号が検出される。上記の各種信号の検出方法についての説明は、特開平９−２１２８９１号公報等に記載されているので、省略する。
【０００４】
一方、光ディスク７への情報の記録は、レーザビームを光ディスク７上の記録層の一部に照射して記録層の温度を上げることによって行われる。このような熱を利用した記録が行われる光ディスク７においては、光ディスク７の特性、光ディスク７上のスポットのピーク強度等によって最適な記録パワーが決定される。したがって、たとえば光ディスク７が対物レンズ６に対して傾くディスクチルトが発生していると、図１０に示すように、レーザ光源１から出射すべき最適記録パワーが変化することになる。すなわち、光ディスク７の面方向に対して、レーザビームが垂直ではなく、斜めに入射することになり、チルトしていない状態に比べて、対物レンズ６から出射されるレーザパワーを大きくしないと、記録に必要な温度上昇を得ることはできない。
【０００５】
また、対物レンズ６がトラッキング等によって光軸ずれをおこすと、光ディスク７上のスポット自体が大きくなり、ピーク強度が低下するので、記録パワー自体が変化してしまうことになる。このため、図１１で示すように、対物レンズ位置に応じて最適記録パワーが変化することになる。同様に、光ディスク７上のビームスポットがデフォーカスしても、スポット径が大きくなり、ピーク強度が低下するので、図１２で示すようにデフォーカス量に応じて最適記録パワーが変化することになる。
【０００６】
そこで、このような不具合を解消するために、記録時のレーザパワーの制御を行う記録再生装置が従来から提案されている。たとえば前記特開平９−２１２８９１号公報では、対物レンズをトラッキングさせても光軸ずれが発生しないように移動連動機構を設けており、レーザビームをメインビームとサブビームとに分割してサブビームを光ディスクのトラックとトラックとの間に結像させ、複数の反射光から生成したトラッキングエラー信号を加算してディスクチルトに対応したチルト信号を生成し、メインビームの検出結果から生成したフォーカスエラー信号と前記チルト信号とに対応して記録パワーを制御している。これによって、ディスクチルトによるビームスポットのピーク強度の低下に応じた記録パワーの制御が行われている。
【０００７】
また、たとえば特開平９−２８２６９６号公報では、ユーザエリアに情報を記録する前に予め内外周で最適記録パワーを測定し、任意のゾーンに対する最適記録パワーを、線形近似することによって求めている。
【０００８】
【発明が解決しようとする課題】
ところで、最適記録パワーは、前記ディスクチルトだけでなく、光ディスクと記録再生装置との組合わせにも依存し、一義的に決定することはできない。つまり、同一装置でも、光ディスクの感度が異なると、同じパワーで記録しても、同じ記録マーク形状を得ることはできない。また、同一ディスクでも、装置毎のビームプロファイルのばらつき等で記録パワーは異なる。そのため、任意の光ディスクと記録再生装置との組合わせに対する最適記録パワーは、測定してみなければ分からないのが実情である。
【０００９】
しかしながら、前記特開平９−２１２８９１号公報では、検出されたチルト信号に対応した最適記録パワーおよび検出されたフォーカスエラー信号に対応した最適記録パワーを予め調整しているので、異なる条件で記録が行われる場合には、記録パワーが必ずしも最適値とはならないという問題がある。たとえば、図１３で示すように、或るレベルＴＬ０のチルト信号に対応した最適記録パワーがＰＷ０に調整してあるとすると、その調整に用いたものよりも感度が低い光ディスクを使用した場合には、最適記録パワーは前記ＰＷ０より大きいＰＷ０’だけ必要となるのに対して、前記ＰＷ０のパワーしか得られないということになる。前記フォーカスエラー信号に対しても同様の影響が生じ、最適記録パワーＰＷ０’に対して、より低いＰＷ０で記録することになるので、適正な記録マークよりも小さなマークを形成することになってしまう。また、チルト信号を作成するために移動連動機構を設けており、構成が複雑である。
【００１０】
一方、前記特開平９−２８２６９６号公報では、ゾーンナンバーの変化、したがってアドレスの変化に対応付けているので、アドレス変化に対して最適記録パワーの変化が線形に追従しない場合は、必ずしも適正に補正できないという問題がある。
【００１１】
本発明の目的は、特別な構成を付加することなく、任意の光ディスクと記録再生装置との組合わせに対しても、記録パワーを最適にマッチングさせ、正確な情報の記録再生を可能とする光学的情報記録再生装置およびその記録パワー設定方法を提供することである。
【００１２】
【課題を解決するための手段】
本発明の光学的情報記録再生装置は、テストライト領域が複数の位置に存在する光ディスクに光学的に情報を記録再生する情報記録再生装置において、複数の各テストライト領域で記録再生を行い、それぞれのテストライト領域に最適な記録パワーを得る最適パワー検出手段と、プリフォーマット部の再生信号の振幅を検出する振幅検出手段と、前記各テストライト領域における前記振幅検出手段および最適パワー検出手段の検出結果に応答し、任意の領域におけるプリフォーマット部の再生信号の振幅に対応した最適な記録パワーを得る最適パワー演算手段と、前記最適パワー演算手段で求められた記録パワーで記録を行う記録パワー制御手段とを含んでいる。
【００１３】
また、本発明の光学的情報記録再生装置の記録パワー設定方法は、テストライト領域が複数の位置に存在する光ディスクに光学的に情報を記録再生する情報記録再生装置の記録パワー設定方法において、複数の各テストライト領域で記録再生を行い、それぞれのテストライト領域に最適な記録パワーを求め、前記各テストライト領域におけるプリフォーマット部の再生信号の振幅を検出し、前記各テストライト領域における最適記録パワーおよび再生信号振幅から、任意の領域におけるプリフォーマット部の再生信号の振幅に対応した最適な記録パワーを求めるものである。
【００１４】
上記の構成によれば、テストライトを行う際に、そのテストライトした信号の再生信号から得られる最適記録パワーと、そのテストライト領域におけるプリフォーマット部の再生信号の振幅とを対応付けて求め、複数箇所にテストライトした結果から、プリフォーマット部の再生信号の任意の振幅値に対応した最適記録パワーを求められるようにする。たとえば、各テストライト箇所でのデータポイントを直線や折れ線で結んで近似し、前記テストライト領域以外の任意の箇所での最適記録パワーを、その箇所のプリフォーマット部の再生信号の振幅を基に、前記直線や折れ線近似から、すなわち隣接するデータポイントのデータを補間して求める。
【００１５】
前記プリフォーマット部の再生信号としては、トラックを横切る際のトラッキングエラー信号を用いることができ、この信号振幅の変化は前述のように最適記録パワーの変化と対応して現れる。
【００１６】
したがって、特別な構成を付加することなく、任意の光ディスクと記録再生装置との組合わせに対しても、その組合せの都度、テストライトを行うことで、テストライト領域以外の任意の箇所でも、その箇所の、トラックを横切る際のトラッキングエラー信号の振幅を基に最適記録パワーを求め、記録パワーを最適にマッチングさせることができ、これによって正確な情報の記録再生を行うことができる。
【００１７】
【発明の実施の形態】
本発明の実施の一形態について、図１〜図７に基づいて説明すれば、以下のとおりである。
【００１８】
図１は、本発明の実施の一形態の光ディスク記録再生装置における光ピックアップ光学系、信号検出系および制御系の構成説明図である。光ピックアップ光学系１２および光ディスク７は、前述の図９と同様である。すなわち、レーザ光源１からの出射光束は、コリメータレンズ２で平行光となり、グレーティング３で３つのビーム（メインビームと２つのサブビーム）に分割され、偏光ビームスプリッタ４、４分の１波長板５および対物レンズ６を介して光ディスク７のトラック上とトラック間に微小な光スポットとして照射される。そして光ディスク７からの反射光は、対物レンズ６および４分の１波長板５を介して偏光ビームスプリッタ４に戻され、偏光ビームスプリッタ４の反射面で反射され、集光レンズ８およびシリンドリカルレンズ９を介して、複数の受光部を備えた受光素子１０で受光される。前記受光素子１０による光電変換出力から、信号検出回路１１において、情報再生信号、トラッキングエラー信号、フォーカスエラー信号等の各種信号が検出される。上記の各種信号の検出方法についての説明は、特開平９−２１２８９１号公報等に記載されている。
【００１９】
前記光ディスク７は、特定のヘッダ情報を持つ数トラック、数セクタをテストライト領域として利用可能となっている。この光ディスク７のディスク面に対向して、記録マークの書込み、読取りを行うための光ピックアップ光学系１２が配置されている。
【００２０】
前記レーザ光源１には、記録パワー制御回路１４が接続されている。この記録パワー制御回路１４は、システムコントローラ１３からの記録すべきマークに対応した制御信号に応答して、レーザ光源１の出力を制御するための記録信号を作成する。レーザ光源１は、前記記録信号に応じたレーザビームを出射し、上述のようにして記録マークが形成される。なお、光磁気ディスクの場合は、図示しない磁気ヘッドと協働して記録を行う。
【００２１】
一方、前記受光素子１０の出力信号から前記信号検出回路１１で生成された前記トラッキングエラー信号はトラッキング制御回路１５および振幅検出回路１６に与えられ、生成された前記フォーカスエラー信号はフォーカシング制御回路１７に与えられ、生成された前記情報再生信号はシステムコントローラ１３に与えられる。トラッキング制御回路１５およびフォーカシング制御回路１７は、前記トラッキングエラー信号およびフォーカスエラー信号にそれぞれ応答し、光ピックアップのトラッキング制御およびフォーカシング制御を行う。振幅検出回路１６は、前記トラッキングエラー信号に応答し、ビームスポットが光ディスク７上のトラックを横切る際のトラッキングエラー信号の振幅を検出する。検出された振幅情報は、マイクロコンピュータなどで実現されるシステムコントローラ１３へ供給される。システムコントローラ１３は、メモリ１８と協働して、前記情報再生信号を後段の復調回路へ出力するとともに、情報再生信号および振幅情報に応答し、後述する最適記録パワー設定処理を行う。
【００２２】
ここで、プリフォーマット部の再生信号の振幅と最適記録パワーとの関係について説明する。最適記録パワーは、光ディスク７上のビームスポットのピーク強度等によって決定される。しかしながら、光ディスク７のチルト、対物レンズ６の光軸ずれ、デフォーカスの影響を受け、前記ビームスポットのピーク強度は低下し、最適記録パワーを高くする必要が生じる。
【００２３】
図２は、光ディスク７のチルト角の変化に対する最適記録パワーの変化を示すグラフである。上述のように、チルト角が０°のときに最適記録パワーは最も小さくてすみ、チルト角が大きくなる程、最適記録パワーを大きくする必要のあることが理解される。
【００２４】
一方、図３は、プリフォーマットされたランドおよびグルーブによって形成されるトラックをビームスポットが横切る際の光ディスク７のチルト角の変化に対するトラッキングエラー信号の振幅の変化を示すグラフである。図３から、チルト角が０°のときにトラッキングエラー信号の振幅は最大となり、チルト角が大きくなる程、ビームスポットのピーク強度が小さくなり、前記振幅が小さくなっていることが理解される。
【００２５】
したがって、前記図２および図３から、図４で示すような最適記録パワーの変化に対するトラッキングエラー信号振幅の変化特性を得ることができる。この図４から、光ディスク７がチルトして最適記録パワーが変化しても、その変化に対応してトラッキングエラー信号の振幅も変化しており、トラッキングエラー信号の振幅に合わせて記録パワーを変化することで、常に最適記録パワーで記録可能であることが理解される。
【００２６】
これを利用して、本発明では、先ず光ディスク７が挿入されると、該光ディスク７のレーザ光源１からのレーザビームに対する感度等の記録再生装置と光ディスク７との組合わせに応じて、記録パワーをマッチングさせるために、予め定められた前記特定のヘッダ情報を持つ数トラック、数セクタの複数箇所の領域において、システムコントローラ１３は、記録パワー制御回路１４にテストライトを行わせ、信号検出回路１１の検出結果から最適記録パワーを求め、メモリ１８に記憶させる。その際に、合わせて、システムコントローラ１３は、トラッキング制御回路１５にトラックジャンプを発生させ、信号検出回路１１の検出結果から、トラッキングエラー信号の振幅を求め、メモリ１８に記憶させる。
【００２７】
前記テストライトは、低パワーから高パワーまで記録パワーを変化させながら記録し、その都度、信号検出回路１１から供給される情報再生信号を測定し、エラーやジッタが最小となるレーザパワーを最適記録パワーとして決定する処理である。
【００２８】
図５は、前記テストライト領域を光ディスク７の外周および内周の２箇所とした場合のテストライト結果を示すグラフである。外周のテストライト領域における最適記録パワーはＰｗ１であり、トラッキングエラー信号の振幅はＡ１である。内周のテストライト領域における最適記録パワーはＰｗ２であり、トラッキングエラー信号の振幅はＡ２である。
【００２９】
こうして、テストライトが終了し、実際の記録時には、前記トラッキングエラー信号の振幅Ａ１，Ａ２間の差が予め定める閾値Ａｔｈ以下である場合には前記最適記録パワーはＰｗ１またはＰｗ２もしくはその平均値が任意の記録領域における最適記録パワーＰｗとして使用され、前記振幅Ａ１，Ａ２間の差が予め定める閾値Ａｔｈより大きい場合には、任意の記録領域における最適記録パワーＰｗを、その記録領域でのトラッキングエラー信号の振幅Ａから、下式で示すように、前記２箇所のテストライト領域で得られたデータポイント間の直線Ｌ１により近似して求める。
Ｐｗ＝ａ・Ａ＋ｂ                                            …（１）
ただし、
ａ＝（Ｐｗｌ−Ｐｗ２）／（Ａｌ−Ａ２）                      …（２）
ｂ＝（Ｐｗ２・Ａ１−Ｐｗｌ・Ａ２）／（Ａ１−Ａ２）          …（３）
である。
【００３０】
図６は、上述のようなテストライトによる最適記録パワー設定処理動作を説明するためのフローチャートである。この図６では、テストライト領域が内周、中周、外周に存在するものとする。先ず、ステップＳ１においてテストライト動作の回数を示す変数ＴＮが０に初期化される。ステップＳ２では、光ディスク７上の外周のテストライト領域へ光ピックアップが移動される。
【００３１】
次に、ステップＳ３では、信号検出回路１１から供給されるトラッキングエラー信号の振幅を振幅検出回路１６で検出し、テストライト領域へ到達した時点でのトラッキングエラー信号の振幅Ａ１がシステムコントローラ１３に供給される。ステップＳ４では、システムコントローラ１３は上述のテストライト動作を行わせ、最適記録パワーＰｗ１を得る。ステップＳ５では、前記最適記録パワーＰｗ１と振幅Ａ１とがメモリ１８に格納される。
【００３２】
こうしてテストライト動作が１回終了すると、続いてステップＳ６で、前記変数ＴＮに１を加え、該変数ＴＮは１となり、ステップＳ７では、外周でテストライト動作が終了したことを前記変数ＴＮの値が１であることより判断し、再び前記ステップＳ２に戻って内周のテストライト領域へ光ピックアップ１２が移動され、ステップＳ３〜Ｓ５で、この内周のテストライト領域における最適記録パワーＰｗ２と振幅Ａ２とがメモリ１８に格納される。
【００３３】
テストライトが２回行われると、ステップＳ６で変数ＴＮは２となり、ステップＳ７からステップＳ８に移る。ステップＳ８では、前記振幅Ａ１，Ａ２間の差が前記閾値Ａｔｈより大きいか否かが判断され、そうでない場合にはステップＳ９で、前記振幅Ａ１，Ａ２および前記最適記録パワーＰｗ１，Ｐｗ２から、前記式２，３に基づいて、任意の領域における最適記録パワーＰｗを求めるための傾きａおよび切片ｂが求められ、ステップＳ１０で、それらのデータが補間情報としてメモリ１８に格納される。
【００３４】
前記ステップＳ８において内外周２点の振幅Ａ１，Ａ２間の差が前記閾値Ａｔｈ以下である場合には、前記式２，３の分母が小さくなり、補間情報の信頼性が低くなると考えられる。そこで、以下の処理を行う。ステップＳ１１で内外周の２点でテストライトが終了していることを判断すると、中周でテストライトを行うために前記ステップＳ２に戻り、前記ステップＳ３〜Ｓ５でテストライトを行い、得られた振幅Ａ３と最適記録パワーＰｗ３とをメモリ１８に格納し、ステップＳ６で変数ＴＮを３にすることで、再びステップＳ７からステップＳ８に移る。そして、メモリ１８に格納された振幅Ａ１とＡ３との差またはＡ２とＡ３との差の何れか、または両方が前記閾値Ａｔｈより大きい場合は、２つの差のうち大きい方の組み合わせの振幅データ２つと最適記録パワーデータ２つとから、ステップＳ９で前記傾きａおよび切片ｂの補間情報が生成される。
【００３５】
また、ステップＳ８が終わって、振幅Ａ１とＡ３との差およびＡ２とＡ３との差の何れもが前記閾値Ａｔｈ以下である場合は、光ディスク７上の最適記録パワーはほぼ同じであるとみなし、ステップＳ１１でテストライトが内中外周３点で行われたことが判断されると、ステップＳ９では、傾きａが０、切片ｂがＰｗ３に設定される。
【００３６】
上記の説明では、ｂ＝Ｐｗ３としているけれども、内中外周３点の最適記録パワーＰｗｌ，Ｐｗ２，Ｐｗ３のうちいずれを用いてもよいし、３つの平均を用いてもよい。また、テストライトは４点以上で行われてもよく、さらにまた光ディスク７の挿入時以外のタイミングで行われてもよい。
【００３７】
以上の最適記録パワー設定処理で得られたメモリ１８中の補間情報を基に、システムコントローラ１３は、テストライト領域以外での最適記録パワーを得るため、実際の記録パワーの補間処理を行う。図７は、実際の記録パワーの補間処理動作を説明するためのフローチャートである。先ず、ステップＳ２１で、記録を行いたいトラックへ光ピックアップを移動させる。次に、ステップＳ２２で、そのトラックへの到達時における信号検出回路１１からのトラッキングエラー信号の振幅Ａを振幅検出回路１６で検出し、システムコントローラ１３に入力する。続いて、ステップＳ２３では、システムコントローラ１３は、メモリ１８から直線Ｌ１の傾きａと切片ｂとを呼出し、前記式１を用いて、そのトラックでの最適記録パワーＰｗを近似する。これに基づき、ステップＳ２４で、システムコントローラ１３は記録パワー制御回路１４へ制御信号を供給する。これにより、記録パワー制御回路１４から記録信号を供給されたレーザ光源１は、そのトラックの最適記録パワーを近似したレーザパワーで記録を行うことができる。
【００３８】
このように構成することによって、光ディスク７の感度の違いや記録再生装置の特性のばらつきに対して、それらの組合せ毎にテストライトによって、トラッキングエラー信号の振幅Ａと最適記録パワーＰｗとの関係が直線Ｌ１で近似され、補間情報として傾きａと切片ｂとを生成しておき、記録を行うべき任意の箇所の記録パワーを、その箇所のトラッキングエラー信号の振幅Ａから補間処理によって求めるので、特別な構成を付加することなく、テストライトによって最適記録パワーＰｗを求めることができないデータ記録領域においても、光ディスク７上のビームスポットのピーク強度に対応した最適記録パワーを常に得ることができる。したがって、記録パワーを常に最適にマッチングさせておくことができ、正確な情報の記録再生を行うことができる。
【００３９】
なお、上記の説明では、前記図２のディスクチルトを例示しているけれども、前記対物レンズ６の光軸ずれおよびビームスポットのデフォーカス等によるビームスポットのピーク強度低下全般に関しても補正効果が発揮される。また、線速度が一定のディスクだけでなく、線速度の補正を加えることによって、ＣＡＶやＺＣＡＶ等の線速度可変のディスクにも本発明を適用することができる。
【００４０】
さらにまた、光ディスク７の挿入時点で予めテストライトを行ってトラッキングエラー信号の振幅Ａと最適記録パワーＰｗとの関係を求めているけれども、記録データの転送速度に比べて記録速度に充分な余裕がある場合、または記録データのバッファの容量が充分に大きい場合、もしくはトラッキング所要時間が短い場合などでは、データの記録を行ないつつテストライトを行い、前記最適記録パワーを随時修正、更新するようにしてもよい。また、上記の例では、最適記録パワーとトラッキングエラー信号の振幅との関係を直線補間により設定したけれども、３点以上テストライト領域を設けた場合は、最小自乗近似等、他の近似方法で設定しても良い。さらにまた、上記の例では、テストライト領域にアクセスするときのトラッキングエラー信号の振幅を最適記録パワー設定処理に用いているけれども、テストライト動作後の振幅を用いてもよく、或いはテストライト動作中の複数のトラックジャンプ動作で得られる振幅の平均等を用いてもよい。
【００４１】
本発明の実施の他の形態について、図８に基づいて説明すれば、以下のとおりである。
【００４２】
図８は、本発明の実施の他の形態の光ディスク記録再生装置で用いられる最適記録パワーの変化を示すグラフである。この例で使用される光ディスクにはグルーブがプリフォーマットされており、前記振幅検出回路１６は、そのグルーブの片側あるいは両側が蛇行しているアドレス部をトラック方向に通過したときのラジアルプッシュプル信号の振幅のチルト角の変化に対する変化を求め、その変化特性と前記図２で示す変化特性とから、この図８で示すラジアルプッシュプル信号の振幅変化に対する最適記録パワーの変化を求める。前記グルーブの両側が蛇行しているアドレス部は特開昭６３−１０３４５４号公報等に開示されており、前記グルーブの片側が蛇行しているアドレス部は特開平５−３１４５３８号公報等に開示されている。
【００４３】
また同様に、光ディスクに凹凸形状のマークがプリフォーマットされている場合、そのマークをトラック方向に通過したときのタンジェンシャルプッシュプル信号の振幅を用いることもできる。
【００４４】
さらにまた、光ディスク内の反射率のばらつきに対応するために、前記トラッキングエラー信号を反射光量信号（トータル信号）で割ったものの振幅を用いてもよい。また、ランドとグルーブとの両方に記録する光ディスクの場合、両者にテストライト領域を設け、それぞれで上記最適記録パワー設定処理および記録パワー補間処理を行うことによって、ランドとグルーブとのそれぞれに対して最適な記録パワーの設定を行うことができる。以上のように、本発明の光学的情報記録再生装置は、テストライト領域が複数の位置に存在する光ディスクに光学的に情報を記録再生する情報記録再生装置において、複数の各テストライト領域で記録再生を行い、それぞれのテストライト領域に最適な記録パワーを得る最適パワー検出手段と、プリフォーマット部の再生信号の振幅を検出する振幅検出手段と、前記各テストライト領域における前記振幅検出手段および最適パワー検出手段の検出結果に応答し、任意の領域におけるプリフォーマット部の再生信号の振幅に対応した最適な記録パワーを得る最適パワー演算手段と、前記最適パワー演算手段で求められた記録パワーで記録を行う記録パワー制御手段とを含み、前記プリフォーマット部の再生信号としては、たとえば、トラックを横切る際のトラッキングエラー信号、プリフォーマットされたグルーブの蛇行によって表されているアドレス部をトラック方向に通過したときのラジアルプッシュプル信号、またはプリフォーマットされた凹凸形状のマークをトラック方向に通過したときのタンジェンシャルプッシュプル信号を用いることができ、これらの信号振幅の変化は前述のように最適記録パワーの変化と対応して現れる。
【００４５】
【発明の効果】
本発明の光学的情報記録再生装置およびその記録パワー設定方法は、以上のように、テストライトを行う際に、そのテストライトした信号の再生信号から得られる最適記録パワーと、そのテストライト領域における、トラックを横切る際のトラッキングエラー信号の振幅とを対応付けて求めておき、複数箇所にテストライトした結果から、任意の記録領域における、トラックを横切る際のトラッキングエラー信号の振幅値に対応した最適記録パワーを、直線や折れ線近似などから求められるようにする。
【００４６】
それゆえ、特別な構成を付加することなく、任意の光ディスクと記録再生装置との組合わせに対しても、その組合せの都度、テストライトを行うことで、テストライト領域以外の任意の箇所でも、その箇所の、トラックを横切る際のトラッキングエラー信号の振幅を基に最適記録パワーを求め、記録パワーを最適にマッチングさせることができ、これによって正確な情報の記録再生を行うことができる。
【図面の簡単な説明】
【図１】本発明の実施の一形態の光ディスク記録再生装置における光ピックアップ光学系、信号検出系および制御系の構成説明図である。
【図２】光ディスクのチルト角の変化に対する最適記録パワーの変化を示すグラフである。
【図３】プリフォーマットされたランドおよびグルーブによって形成されるトラックをビームスポットが横切る際の光ディスクのチルト角の変化に対するトラッキングエラー信号の振幅の変化を示すグラフである。
【図４】最適記録パワーの変化に対するトラッキングエラー信号振幅の変化を示すグラフである。
【図５】テストライト領域を光ディスクの外周および内周の２箇所とした場合のテストライト結果を示すグラフである。
【図６】テストライトによる最適記録パワー設定処理動作を説明するためのフローチャートである。
【図７】実際の記録パワーの設定処理を説明するためのフローチャートである。
【図８】本発明の実施の他の形態の光ディスク記録再生装置で用いられる最適記録パワーの変化を示すグラフである。
【図９】光ディスク記録再生装置の一般的な光ピックアップ光学系の構成例を示す図である。
【図１０】ディスクチルトと最適記録パワーとの関係を示す図である。
【図１１】対物レンズシフトと最適記録パワーとの関係を示す図である。
【図１２】デフォーカスと最適記録パワーとの関係を示す図である。
【図１３】感度の異なる光ディスクを用いた場合のディスクチルトと最適記録パワーとの関係を示す図である。
【符号の説明】
１    レーザ光源
２    コリメータレンズ
３    グレーティング
４    偏光ビームスプリッタ
５    ４分の１波長板
６    対物レンズ
７    光ディスク
８    集光レンズ
９    シリンドリカルレンズ
１０    受光素子
１１    信号検出回路（最適パワー検出手段）
１２    光ピックアップ光学系
１３    システムコントローラ（最適パワー検出手段、最適パワー演算手段）
１４    記録パワー制御回路（記録パワー制御手段）
１５    トラッキング制御回路
１６    振幅検出回路（振幅検出手段）
１７    フォーカシング制御回路
１８    メモリ
【図１】
0003995838.tif 000002
【図２】
0003995838.tif 000003
【図３】
0003995838.tif 000004
【図４】
0003995838.tif 000005
【図５】
0003995838.tif 000006
【図６】
0003995838.tif 000007
【図７】
0003995838.tif 000008
【図８】
0003995838.tif 000009
【図９】
0003995838.tif 000010
【図１０】
0003995838.tif 000011
【図１１】
0003995838.tif 000012
【図１２】
0003995838.tif 000013
【図１３】
0003995838.tif 000014